(57)【要約】【課題】店舗用空調・冷蔵設備から生じるドレン水を処理しつつ、店舗内冷房負荷の低減を図る。【解決手段】店舗建屋１内の空調機２の蒸発器４から生じる凝結水及びショーケース５の冷却器か７ら生じる除霜水をドレンタンク１６に回収し、このドレン水をポンプ１７により散水管１８を介して店舗建屋１の屋根１２に散水する。低温のドレン水を散水し、その顕熱及び潜熱で屋根１２を冷却することにより天井裏１９の温度を低下させ、空調機２の冷房負荷を低減し、同時にドレン水を自動処理することができる。【選択図】      図１
2005114217.tif 000002
【特許請求の範囲】
【請求項１】
店舗建屋内に空調機及びショーケースを備え、前記空調機は液冷媒を蒸発させる蒸発器を通して室内空気を循環させることにより室内を冷房し、前記ショーケースは液冷媒を蒸発させる冷却器を通して庫内空気を循環させることにより庫内商品を冷却する店舗用空調・冷蔵設備において、
前記空調機の蒸発器から生じる凝結水又は前記ショーケースの冷却器から生じる除霜水を回収し、前記店舗建屋の屋根に散水する散水装置を設けたことを特徴とする店舗用空調・冷蔵設備。
【発明の詳細な説明】
【技術分野】
【０００１】
この発明は、コンビニエンスストアなどの店舗に設置される空調・冷蔵設備に関し、詳しくは冷房負荷を低減するための装置に関する。
【背景技術】
【０００２】
コンビニエンスストアなどの店舗には空調機及び冷蔵・冷凍ショーケース（以下、単に「ショーケース」という。）が設置され、空調機は夏季には店舗内を冷房し、ショーケースは庫内商品を冷却している。空調機やショーケースには一般に冷凍サイクルが用いられ、空調機は液冷媒を蒸発させる蒸発器を通して室内空気を循環させることにより室内を冷房し、ショーケースは液冷媒を蒸発させる冷却器を通して庫内空気を循環させることにより庫内商品を冷却する。
【０００３】
上記した空調機による冷房において、室内空気が低温の蒸発器を通流する際に含まれる水蒸気が凝結し、蒸発器表面から流下するドレン水を生じさせる。また、ショーケースにおいては、冷却器を通流する庫内空気に含まれる水蒸気が低温の冷却器との接触により氷結し、冷却器表面に霜を生じさせる。この霜は適宜のタイミングで行われる除霜運転により融解され、その際にドレン水（除霜水）を生じる。
【０００４】
このようなドレン水は屋外に排出されるが、売り場床面に排水設備を持たない小規模店舗では、空調機やショーケースに付設されたドレンタンクにドレン水を一旦貯留し、時機をみてドレンタンクを排水設備まで持ち運んで捨てている。このドレン水の廃棄作業は、店舗従業員にとってかなりの負担となっている。ショーケースにおけるこのようなドレン水処理の問題については、特許文献１に記載されている。
【特許文献１】特開平１０−２８１６２７号公報
【発明の開示】
【発明が解決しようとする課題】
【０００５】
一方、コンビニエンスストアなどの小規模店舗においては、建築コストの節減のために簡易な構造の建屋が用いられていることが多いが、その場合には夏季における外部からの侵入熱量が大きくなる。この侵入熱量は太陽の直射を受ける屋根部分からのものがとりわけ大きく、簡易構造の店舗では天井裏の温度は５０〜７０℃にも達し、それによる冷房負荷は著しく大きい。
【０００６】
この発明は、上記した状況の下でなされたもので、店舗用空調・冷蔵設備から生じるドレン水を処理しつつ、店舗内冷房負荷の低減を図ることを課題とするものである。
【課題を解決するための手段】
【０００７】
上記課題を解決するために、この発明は、店舗建屋内に空調機及びショーケースを備え、前記空調機は液冷媒を蒸発させる蒸発器を通して室内空気を循環させることにより室内を冷房し、前記ショーケースは液冷媒を蒸発させる冷却器を通して庫内空気を循環させることにより庫内商品を冷却する店舗用空調・冷蔵設備において、前記空調機の蒸発器から生じる凝結水又は前記ショーケースの冷却器から生じる除霜水を回収し、前記店舗建屋の屋根に散水する散水装置を設けるものである。
【０００８】
コンビニエンスストアでの発明者らの調査によれば、蒸発器での冷媒の蒸発温度が５℃程度の空調機１台について、約１５℃のドレン水（凝結水）が１時間に１〜２リットル発生し、冷却器での冷媒の蒸発温度が−１０℃程度のショーケース１台について、約５℃のドレン水（除霜水）が１時間に２〜３リットル発生している。従来はこの低温のドレン水を無駄に廃棄しているが、この発明ではこのドレン水を店舗の屋根に散水し、ドレン水の顕熱（冷熱）及び潜熱（蒸発熱）を利用して屋根の冷却を図るものである。これにより、天井裏の温度を低下させて冷房負荷を低減し、同時にドレン水の処理を図ることができる。
【発明の効果】
【０００９】
この発明によれば、空調機やショーケースから生じるドレン水を回収し、店舗建屋の屋根に散水することにより、従来は無駄に廃棄されていたドレン水の顕熱や潜熱を利用して冷房負荷の低減を図ることができるとともに、ドレン水を同時に処理して小規模の店舗においてもドレンタンクを持ち歩いて排水する手間を省くことができる。
【発明を実施するための最良の形態】
【００１０】
図１は、この発明の実施の形態を示すシステム構成図である。図１において、コンビニエンスストアなどの店舗の建屋１内には、天井部に埋込み形の空調機（室内機）２が設置され、この空調機２は矢印で示すように、送風機３により吸い込んだ室内空気を蒸発器４を通して室内に循環させ冷房している。また、壁際に沿ってショーケース５が設置され、このショーケース５は矢印で示すように、送風機６により冷却器７を通して庫内空気を循環させ、図示しない庫内商品を冷却している。空調機２及びショーケース５には共通の室外機８から液冷媒が供給されており、室外機８は冷媒を圧縮する圧縮機９、圧縮機９から吐出された高温高圧のガス冷媒を凝縮させる凝縮器１０、凝縮器１０を外気で冷却する送風機１１等からなっている。
【００１１】
すでに述べたように、空調機２の蒸発器４からは凝結水が生じ、ショーケース５の冷却器７からは除霜水が生じる。そこで、図示実施の形態においては、これらのドレン水（凝結水及び除霜水）を店舗建屋１の屋根１２に散水する散水装置１３が設けられている。すなわち、蒸発器４及び冷却器７のドレン水はドレン配管１４及び１５を介してドレンタンク１６に集められる。ドレンタンク１６の水位が一定レベルまで上昇すると、図示しないレベルセンサからの信号によりポンプ１７が起動し、ドレン水は散水管１８を介して店舗建屋１の屋根１２に散水される。ドレンタンク１６の水位が一定レベルまで低下するとポンプ１７が停止し、以後、水位がまた上記一定レベルまで上昇するとポンプ１７が再起動する自動運転が繰り返される。
【００１２】
図示実施の形態において、空調機２からは、例えば約１５℃のドレン水が排出され、ショーケース５からは、例えば約５℃のドレン水が排出される。これらのドレン水はドレンタンク１６で混合され、例えば１２〜１３℃のドレン水として屋根１２に散水される。このドレン水は夏季の灼熱した屋根１２に接触して蒸発し、その顕熱と潜熱により屋根１２を冷却する。その結果、天井裏１９の温度が低下し、天井裏１９から室内に伝達される熱量が減少して、空調機２の冷房負荷が低下する。すなわち、図示実施の形態によれば、従来は無駄に廃棄されていたドレン水を活用して冷房の省エネを図り、同時にドレン水をポンプ１７で自動排出して手作業によるドレン水の処理を省くことができる。
【図面の簡単な説明】
【００１３】
【図１】この発明の実施の形態を示すシステム構成図である。
【符号の説明】
【００１４】
１    店舗建屋
２    空調機
４    蒸発器
５    ショーケース
７    冷却器
８    室外機
１２    屋根
１３    散水装置
１４    ドレン配管
１５    ドレン配管
１６    ドレンタンク
１７    ポンプ
１８    散水管
【図１】
2005114217.tif 000003